(57)【要約】【課題】手を挿入しやすく、かつ、親指の動きを妨げににくいゴルフ手袋を提供する。【解決手段】手袋本体１に、親指を収容する親指袋３が縫合されたゴルフ手袋であって、親指袋３の下端が手首側端部２まで延設され、縫合前の展開状態における手袋本体１は、親指袋３と接合する手甲側の接合ラインＡが手首側端部２に向けて小指側へ傾斜する。この構成により、面ファスナーバンド９を開けた場合に、手袋本体１が親指袋３側に引き寄せられるため、スリット８が大きく立体的に開く。したがって、手首側端部２の開口が大きくなり、手を挿入しやすくなる。【選択図】図５
2008214821.tif 000002
【特許請求の範囲】
【請求項１】
手袋本体に、親指を収容する親指袋が縫合されたゴルフ手袋であって、親指袋の下端が手首側端部まで延設され、縫合前の展開状態において、手袋本体の親指袋と接合する手甲側の接合ラインＡの下端と手平側の接合ラインＥの下端との間の幅Ｗ１は、親指袋の下端の幅Ｗ２よりも大とされたことを特徴とするゴルフ手袋。
【請求項２】
縫合前の展開状態における手袋本体の前記接合ラインＡは、手首側端部に向けて小指側へ近付くように傾斜していることを特徴とする請求項１に記載のゴルフ手袋。
【請求項３】
前記接合ラインＡの傾斜角度θは、２０°〜６０°に設定されることを特徴とする請求項２に記載のゴルフ手袋。
【請求項４】
前記接合ラインＡの傾斜角度θは、４０〜５０°に設定されることを特徴とする請求項２に記載のゴルフ手袋。
【請求項５】
縫合前の展開状態における親指袋は、前記接合ラインＡに対応する接合ラインａが垂直方向に延びることを特徴とする請求項１〜４のいずれかに記載のゴルフ手袋。
【発明の詳細な説明】
【技術分野】
【０００１】
本発明は、ゴルフ手袋に関する。
【背景技術】
【０００２】
一般に、ゴルフクラブを握るとき、親指以外の４本の指でグリップの下側から握って、親指をグリップの上側に添え、両手を親指側にひねるようにしながら力強く握るようにしている。このとき、滑り止めとして、あるいはボールを打ったときに手に伝わる衝撃を緩和するためにゴルフ手袋を着用することが多く、通常、右利きの人は左手に、左利きの人は右手にゴルフ手袋を着用している。
【０００３】
図６〜図８は従来の一般的なゴルフ手袋の構成を示した図であって、図６は従来のゴルフ手袋の手の甲側から見た正面図、図７は従来のゴルフ手袋の親指側から見た側面図、図８は従来のゴルフ手袋の展開図であって、（ａ）は手甲側部の裁断片、（ｂ）は手平側部の裁断片、（ｃ）は親指袋の裁断片である。
【０００４】
従来のゴルフ手袋は、一般に、手甲側部４と手平側部５とからなる手袋本体１に親指袋開口７を開け、この親指袋開口７の縁に親指を収容する親指袋３を縫合することにより構成される。また、手甲側部４には、着脱用のスリット８と、着用後にスリット８を閉じるための面ファスナーバンド９とが設けられている（例えば、特許文献１参照）。
【特許文献１】特開平８−２３２１０７号公報
【発明の開示】
【発明が解決しようとする課題】
【０００５】
ゴルフ手袋を装着するには、面ファスナーバンド９を開いて、手首側端部２の開口からスリット８の開きを利用しながら手を挿入する。しかしながら、従来のゴルフ手袋では、手首側端部２の開口の開きが十分でなく、手を挿入しにくかった。
【０００６】
親指袋３の全周が手袋本体１に縫合されているため、その縫合部分において剛性が高くなり、生地の伸びが阻害されてしまう。そのため、特にグリップ掌握時に親指が窮屈となり、親指の動きが手袋本体１によって妨げられてしまう。
【０００７】
本発明は、手を挿入しやすく、かつ、親指の動きを妨げににくいゴルフ手袋を提供することを目的とする。
【課題を解決するための手段】
【０００８】
上記目的を達成するため、本発明は、手袋本体に、親指を収容する親指袋が縫合されたゴルフ手袋であって、親指袋の下端が手首側端部まで延設され、縫合前の展開状態において、手袋本体の親指袋と接合する手甲側の接合ラインＡの下端と手平側の接合ラインＥの下端との間の幅Ｗ１は、親指袋の下端の幅Ｗ２よりも大とされたことを特徴とするゴルフ手袋である。
【０００９】
このように、手袋本体の接合ラインＡの下端と接合ラインＥの下端との間の幅Ｗ１を、親指袋の下端の幅Ｗ２よりも大に設定することにより、手袋本体に親指袋を縫着した場合、親指袋側に引き寄せられるようにして手袋本体のスリットが大きく開く。しかも、その開き方は立体的なものとなりやすい。したがって、手首側端部の開口が大きくなり、手を挿入しやすくなる。
【００１０】
また、親指袋の下端を手首側端部まで延設しており、従来のような親指袋の周縁を一周取り囲むような縫製がされていないので、生地の持つ本来の自然な伸びが縫製糸により阻害されずにすむ。したがって、親指が違和感無く動くことができ、フィット性の高いものとすることができる。
【００１１】
上述のように、Ｗ１＞Ｗ２の関係であれば、その構成は限定されるものではないが、縫合前の展開状態における手袋本体の接合ラインＡは、手首側端部に向けて小指側へ近付くように傾斜する構成とするのが好ましい。手袋本体に親指袋を縫着した場合、親指袋側に十分に引き寄せることができる。
【００１２】
また、接合ラインＡは、直線状に限定されるものではなく、全体的にみて傾斜していれば、波状、曲線状などの他の形状としてもよい。また、接合ラインＡの傾斜角度θ（垂直ラインＬに対する傾斜角度）は、２０°〜６０°、さらには４０°〜５０°、特に略４５°に設定するのが好ましい。この範囲内であれば、手を挿入する際に十分に手首側端部の開口が大きくなると共に、装着した後は面ファスナーバンド等の止着手段でスリットを閉じることができ、装着時のフィット性を保つことができる。なお、垂直ラインＬとは、接合ラインＡの上端から手袋の垂直方向に延びるラインのことである。また、垂直方向とは、手首側端部と直交する方向、すなわち中指の長さ方向のことである。
【００１３】
また、縫製前の展開状態における親指袋は、接合ラインＡに対応する接合ラインａが垂直方向に延びるように設定するのが好ましい。手袋本体の接合ラインＡを十分に引き寄せることができると共に、親指の第１中手骨の付け根付近を親指袋で覆うことができる。したがって、親指の動きが手袋本体によって阻害されず、親指をより違和感無く自由に動かすことができる。
【発明の効果】
【００１４】
本発明によると、縫合前の展開状態において、手袋本体の接合ラインＡの下端と接合ラインＥの下端との間の幅Ｗ１を、親指袋の下端の幅Ｗ２よりも大とする構成としたので、親指袋を縫着すると、親指袋側に引き寄せられるようにしてスリットが大きく開く。したがって、手首側端部の開口が大きくなり、手を挿入しやすくなる。また、親指袋の下端を手首側端部まで延設しているため、親指を違和感無く動かせることができ、フィット性の高いものとすることができる。
【発明を実施するための最良の形態】
【００１５】
以下、本発明の実施形態を図面に基づいて説明する。図１は本発明のゴルフ手袋の手の甲側から見た正面図であって、面ファスナーバンドを開いた状態を示す図、図２は本発明のゴルフ手袋の手の甲側から見た正面図であって、面ファスナーバンドを閉じた状態を示す図、図３は同じくゴルフ手袋の手平側から見た正面図、図４は同じくゴルフ手袋の親指側から見た側面図、図５は同じくゴルフ手袋の展開図であって、（ａ）は手袋本体の裁断片、（ｂ）は親指袋の裁断片である。なお、図５（ａ）及び（ｂ）の図中のアルファベットＡ〜Ｅ及びａ〜ｅは、それぞれ対応する縫着部分を示す。また、図５の展開図では後述するマチ６を省略してある。なお、図面に示すゴルフ手袋は左手用であるが、これが右手用であっても実質的な差異はない。
【００１６】
図１〜図５に示すように、本ゴルフ手袋は、手袋本体１と、親指及びその付け根付近から手首側端部２にかけて覆う親指袋３とから構成される。手袋本体１は、手の甲側を覆う手甲側部４と、掌側を覆う手平側部５とが親指側で連続してなる。詳細には、本ゴルフ手袋は、通常のゴルフ手袋と同様に、皮革や合成皮革など種々の生地が手袋本体１及び親指袋３に裁断され、これらの裁断片が手袋形状に縫合されて形成される。なお、手甲側部４及び手平側部５は、小指側で連続する１枚のシート状に裁断してもよいし、手甲側部４及び手平側部５の２枚のシートに独立させてもよい。
【００１７】
手甲側部４及び手平側部５は、手甲部分４ａ及び手平部分５ａの指先側に、親指以外の指に相当するそれぞれ四つの指部分４ｂ〜４ｅ、５ｂ〜５ｅが突出した形状とされる。
【００１８】
手甲側部４及び手平側部５の人差し指部分４ｂ、５ｂの中指側、中指部分４ｃ、５ｃ及び薬指部分４ｄ、５ｄの両側面、及び小指部分４ｅ、５ｅの薬指側は、指の厚さに相当するマチ６を介在させて縫合され、指を挿入できるように指袋が形成される。
【００１９】
手甲側部４及び手平側部５の親指袋３を取り付ける部分は、手甲側部４と手平側部５とを互いに縫合しないようにして親指袋取付開口７とされる。親指袋取付開口７は、親指付け根付近から手首側端部２までかけて、手袋本体１の手首部分を分断するように形成される。
【００２０】
親指袋取付開口７のうち、親指袋３と接合する手甲側の接合ラインＡは、手首側端部２に向けて小指側へ近づくように傾斜する。接合ラインＡの傾斜角度θは、略４５°に設定される。このような構成とすることにより、手袋本体１に親指袋３を縫着すると、親指袋３に引き寄せられるようにしてスリット８が大きく立体的に開く。したがって、手首側端部２の挿入口の開きが大きくなり、手を挿入しやすくなる。
【００２１】
また、親指袋取付開口７のうち、手平側部５に位置する接合ラインＥは、母指球の外周縁を通るように設定される。このような構成とすれば、親指を自由に動かすことができる。なお、「母指球」とは、手の平側の親指の付け根の膨らんだ隆起部分のことである。
【００２２】
親指袋３は、図５（ｂ）の展開図に示すように、１枚のシート状に裁断され、親指袋取付開口７に縫着される部分（接合ラインａ〜ｅ）を除いて、両者の周縁同士が縫合されて形成される。親指袋３の下端には手首端まで至るように帯状の延長片３ｃが延設される。親指袋３の下端の幅（接合ラインａの下端と接合ラインｅの下端との間の幅）Ｗ２は、手袋本体１の接合ラインＡの下端と接合ラインＥの下端との間の幅Ｗ１よりも、小となるように設定される。また、縫合前の展開状態における親指袋３は、手袋本体１の接合ラインＡに対応する接合ラインａが垂直方向に延びる。このような構成とすることにより、手袋本体１の接合ラインＡを十分に引き寄せることができると共に、親指の第１中手骨の付け根を親指袋３で覆うことができる。親指の動きが手袋本体１により阻害されず、親指を違和感無く自由に動かすことができる。
【００２３】
このように形成された親指袋３は、手袋本体１の親指袋取付開口７の縁に縫合される。親指袋３の延長片３ｃが手首側端部２まで配され、手袋本体１の手首部分の一部を構成することになる。このような構成とすることにより、親指袋３の周縁において手袋本体１に対して無縫製部分が形成される。この無縫製部分の存在により、生地の伸びが阻害されず、周囲の縫合部分による親指への締め付けが軽減される。特に、グリップ掌握時において、親指袋３の縦横方向へ伸びをさせやすい。したがって、親指を曲げてもその動きに追従しやすく、フィット性の高いゴルフ手袋となる。なお、親指袋３と手袋本体１との間に伸縮性テープ１１を介在させない形態としてもよい。
【００２４】
また、手甲部分４ａの手首側には、着脱用のスリット８と、着用後にスリット８を閉じるための面ファスナーバンド９とが設けられている。
【００２５】
以上の構成によると、図１に示すように、面ファスナーバンド９を開けた場合に、手袋本体１が親指袋３側に引き寄せられるため、スリット８が大きく立体的に開く。したがって、手首側端部２の開口が大きくなり、手を挿入しやすくなる。
【００２６】
また、親指袋３の下端が手首側端部２まで延設されているため、生地の持つ本来の自然な伸びが縫製糸により阻害されずにすむ。したがって、親指が違和感無く動くことができ、フィット性の高いものとすることができる。
【図面の簡単な説明】
【００２７】
【図１】本発明のゴルフ手袋の手の甲側から見た正面図であって、面ファスナーバンドを開いた状態を示す図
【図２】本発明のゴルフ手袋の手の甲側から見た正面図であって、面ファスナーバンドを閉じた状態を示す図
【図３】同じくゴルフ手袋の手平側から見た正面図
【図４】同じくゴルフ手袋の親指側から見た側面図
【図５】同じくゴルフ手袋の展開図であって、（ａ）は手袋本体の裁断片、（ｂ）は親指袋の裁断片を示す図
【図６】従来のゴルフ手袋の手の甲側から見た正面図
【図７】従来のゴルフ手袋の親指側から見た側面図
【図８】従来のゴルフ手袋の展開図であって、（ａ）は手甲側部の裁断片、（ｂ）は手平側部の裁断片、（ｃ）は親指袋の裁断片
【符号の説明】
【００２８】
Ａ    手袋本体の手甲側の接合ライン
ａ    親指袋の接合ライン
Ｅ    手袋本体の手平側の接合ライン
Ｌ    垂直ライン
Ｗ１  手袋本体１の接合ラインＡの下端と接合ラインＥの下端との間の幅
Ｗ２  親指袋３の下端の幅
１    手袋本体
２    手首側端部
３    親指袋
３ｃ  延長片
４    手甲側部
４ａ  手甲部分
５    手平側部
５ａ  手平部分
６    マチ
７    親指袋取付開口
８    スリット
９    面ファスナーバンド
【図１】
2008214821.tif 000003
【図２】
2008214821.tif 000004
【図３】
2008214821.tif 000005
【図４】
2008214821.tif 000006
【図５】
2008214821.tif 000007
【図６】
2008214821.tif 000008
【図７】
2008214821.tif 000009
【図８】
2008214821.tif 000010